【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
入力された１系統又は複数系統の入力映像コンテンツの各々を解像度変換して出力するか、解像度変換せずに出力するかを切り替え可能な第１の解像度変換手段と、
前記第１の解像度変換手段に接続され、前記第１の解像度変換手段から出力された複数系統の映像コンテンツをマルチ画面表示の形態に合成して１系統の合成映像コンテンツとして出力するか、前記第１の解像度変換手段から出力された１系統の映像コンテンツを合成せずに出力するかを切り替え可能な合成手段と、
前記合成手段に接続され、前記合成手段から出力された映像コンテンツを解像度変換して出力するか、解像度変換せずに出力するかを切り替え可能な第２の解像度変換手段であって、前記第１の解像度変換手段よりも高画質な解像度変換を行う第２の解像度変換手段と、
前記第１の解像度変換手段、前記第２の解像度変換手段、及び前記合成手段の動作を制御する制御手段と、を有し、
前記制御手段は、
前記複数系統の入力映像コンテンツをマルチ画面表示する場合には、前記合成手段に前記第１の解像度変換手段により出力された複数系統の映像コンテンツの合成を行わせ、前記複数系統の入力映像コンテンツの各々について解像度変換を行う場合は前記第１の解像度変換手段に該入力映像コンテンツの解像度変換を行わせ、
前記１系統の入力映像コンテンツを単一画面表示する場合には、前記合成手段に前記第１の解像度変換手段から出力された１系統の映像コンテンツの合成を行わせず、前記１系統の入力映像コンテンツについて解像度変換を行う場合は前記第２の解像度変換手段に前記合成手段から出力された対応する映像コンテンツの解像度変換を行わせるように制御することを特徴とする表示制御装置。
【請求項２】
さらに、前記１系統の入力映像コンテンツを単一画面表示するか、前記複数系統の入力映像コンテンツをマルチ画面表示するかの設定情報を取得する取得手段を有し、
前記制御手段は、前記取得手段により取得された設定情報に従って、前記第１の解像度変換手段、前記第２の解像度変換手段、及び前記合成手段を制御することを特徴とする請求項１に記載の表示制御装置。
【請求項３】
前記制御手段は、
前記複数系統の入力映像コンテンツをピクチャアンドピクチャ表示の表示形態でマルチ画面表示する場合には、前記第１の解像度変換手段に前記複数系統の入力映像コンテンツの解像度変換を行わせ、
前記複数系統の入力映像コンテンツをピクチャインピクチャ表示の表示形態でマルチ画面表示する場合には、前記第１の解像度変換手段に、前記複数系統の入力映像コンテンツのうち主となる映像コンテンツの解像度変換を行わせず、副となる映像コンテンツの解像度変換を行わせるように制御することを特徴とする請求項１又は２に記載の表示制御装置。
【請求項４】
前記制御手段は、
前記入力映像コンテンツの解像度が表示する際の表示解像度と異なる場合に、前記第１の解像度変換手段または前記第２の解像度変換手段に解像度変換を行わせ、
前記入力映像コンテンツの解像度が表示する際の表示解像度と等しい場合に、前記第１の解像度変換手段または前記第２の解像度変換手段に解像度変換を行わせないように制御することを特徴とする請求項１乃至３の何れか１項に記載の表示制御装置。
【請求項５】
前記表示制御装置がジャストスキャン表示モードで動作している際に、
前記制御手段は、
前記合成手段から出力された映像コンテンツの解像度が表示する際の表示解像度と等しい場合に、前記第２の解像度変換手段に前記合成手段から出力された映像コンテンツの解像度変換を行わせず、
前記合成手段から出力された映像コンテンツの解像度が表示する際の表示解像度と異なる場合は、前記第２の解像度変換手段に前記合成手段から出力された映像コンテンツの解像度変換を行わせるように制御することを特徴とする請求項１乃至４の何れか１項に記載の表示制御装置。
【請求項６】
前記第２の解像度変換手段は、前記表示制御装置がオーバースキャン表示モードで動作している場合に、前記合成手段から出力された映像コンテンツのうち、オーバースキャン表示する領域を切り出し、当該切り出した領域を表示する際の表示解像度に解像度変換して出力するか、解像度変換せずに出力するかを切り替え可能であり、
前記制御手段は、
前記複数系統の入力映像コンテンツをマルチ画面表示する場合には、前記第２の解像度変換手段に、前記オーバースキャン表示する領域を表示する際の表示解像度に変換させるように制御することを特徴とする請求項１乃至５の何れか１項に記載の表示制御装置。
【請求項７】
前記第１の解像度変換手段と前記第２の解像度変換手段が、異なる集積回路に含まれることを特徴とする請求項１乃至６の何れか１項に記載の表示制御装置。
【請求項８】
さらに、前記第２の解像度変換手段から出力された映像コンテンツに高画質化処理を適用し、表示部へ出力する高画質化手段を有することを特徴とする請求項１乃至７の何れか１項に記載の表示制御装置。
【請求項９】
入力された１系統又は複数系統の入力映像コンテンツの各々を解像度変換して出力するか、解像度変換せずに出力するかを切り替え可能な第１の解像度変換手段と、
前記第１の解像度変換手段に接続され、前記第１の解像度変換手段から出力された複数系統の映像コンテンツをマルチ画面表示の形態に合成して１系統の合成映像コンテンツとして出力するか、前記第１の解像度変換手段から出力された１系統の映像コンテンツを合成せずに出力するかを切り替え可能な合成手段と、
前記合成手段に接続され、前記合成手段から出力された映像コンテンツを解像度変換して出力するか、解像度変換せずに出力するかを切り替え可能な第２の解像度変換手段であって、前記第１の解像度変換手段よりも高画質な解像度変換を行う第２の解像度変換手段と、を有する表示制御装置の制御方法であって、
前記表示制御装置の制御手段が、前記第１の解像度変換手段、前記第２の解像度変換手段、及び前記合成手段の動作を制御する制御工程を有し、
前記制御手段は前記制御工程において、
前記複数系統の入力映像コンテンツをマルチ画面表示する場合には、前記合成手段に前記第１の解像度変換手段により出力された複数系統の映像コンテンツの合成を行わせ、前記複数系統の入力映像コンテンツの各々について解像度変換を行う場合は前記第１の解像度変換手段に該入力映像コンテンツの解像度変換を行わせ、
前記１系統の入力映像コンテンツを単一画面表示する場合には、前記合成手段に前記第１の解像度変換手段から出力された１系統の映像コンテンツの合成を行わせず、前記１系統の入力映像コンテンツについて解像度変換を行う場合は前記第２の解像度変換手段に前記合成手段から出力された対応する映像コンテンツの解像度変換を行わせるように制御することを特徴とする表示制御装置の制御方法。
【請求項１０】
さらに、前記表示制御装置の取得手段が、前記１系統の入力映像コンテンツを単一画面表示するか、前記複数系統の入力映像コンテンツをマルチ画面表示するかの設定情報を取得する取得工程を有し、
前記制御手段は前記制御工程において、前記取得工程において取得された設定情報に従って、前記第１の解像度変換手段、前記第２の解像度変換手段、及び前記合成手段を制御することを特徴とする請求項９に記載の表示制御装置の制御方法。
【請求項１１】
前記制御手段は前記制御工程において、
前記複数系統の入力映像コンテンツをピクチャアンドピクチャ表示の表示形態でマルチ画面表示する場合には、前記第１の解像度変換手段に前記複数系統の入力映像コンテンツの解像度変換を行わせ、
前記複数系統の入力映像コンテンツをピクチャインピクチャ表示の表示形態でマルチ画面表示する場合には、前記第１の解像度変換手段に、前記複数系統の入力映像コンテンツのうち主となる映像コンテンツの解像度変換を行わせず、副となる映像コンテンツの解像度変換を行わせるように制御することを特徴とする請求項９又は１０に記載の表示制御装置の制御方法。
【請求項１２】
前記制御手段は前記制御工程において、
前記入力映像コンテンツの解像度が表示する際の表示解像度と異なる場合に、前記第１の解像度変換手段または前記第２の解像度変換手段に解像度変換を行わせ、
前記入力映像コンテンツの解像度が表示する際の表示解像度と等しい場合に、前記第１の解像度変換手段または前記第２の解像度変換手段に解像度変換を行わせないように制御することを特徴とする請求項９乃至１１の何れか１項に記載の表示制御装置の制御方法。
【請求項１３】
前記表示制御装置がジャストスキャン表示モードで動作している際に、
前記制御手段は前記制御工程において、
前記合成手段から出力された映像コンテンツの解像度が表示する際の表示解像度と等しい場合に、前記第２の解像度変換手段に前記合成手段から出力された映像コンテンツの解像度変換を行わせず、
前記合成手段から出力された映像コンテンツの解像度が表示する際の表示解像度と異なる場合は、前記第２の解像度変換手段に前記合成手段から出力された映像コンテンツの解像度変換を行わせるように制御することを特徴とする請求項９乃至１２の何れか１項に記載の表示制御装置の制御方法。
【請求項１４】
前記第２の解像度変換手段は、前記表示制御装置がオーバースキャン表示モードで動作している場合に、前記合成手段から出力された映像コンテンツのうち、オーバースキャン表示する領域を切り出し、当該切り出した領域を表示する際の表示解像度に解像度変換して出力するか、解像度変換せずに出力するかを切り替え可能であり、
前記制御手段は前記制御工程において、
前記複数系統の入力映像コンテンツをマルチ画面表示する場合には、前記第２の解像度変換手段に、前記オーバースキャン表示する領域を表示する際の表示解像度に変換させるように制御することを特徴とする請求項９乃至１３の何れか１項に記載の表示制御装置の制御方法。
【請求項１５】
前記第１の解像度変換手段と前記第２の解像度変換手段が、異なる集積回路に含まれることを特徴とする請求項９乃至１４の何れか１項に記載の表示制御装置の制御方法。
【請求項１６】
さらに、前記表示制御装置は前記第２の解像度変換手段から出力された映像コンテンツに高画質化処理を適用し、表示部へ出力する高画質化手段を有することを特徴とする請求項９乃至１５の何れか１項に記載の表示制御装置の制御方法。
【手続補正２】
【補正対象書類名】明細書
【補正対象項目名】０００９
【補正方法】変更
【補正の内容】
【０００９】
前述の目的を達成するために、本発明の表示制御装置は、以下の構成を備える。
本発明は、入力された１系統又は複数系統の入力映像コンテンツの各々を解像度変換して出力するか、解像度変換せずに出力するかを切り替え可能な第１の解像度変換手段と、第１の解像度変換手段に接続され、第１の解像度変換手段から出力された複数系統の映像コンテンツをマルチ画面表示の形態に合成して１系統の合成映像コンテンツとして出力するか、第１の解像度変換手段から出力された１系統の映像コンテンツを合成せずに出力するかを切り替え可能な合成手段と、合成手段に接続され、合成手段から出力された映像コンテンツを解像度変換して出力するか、解像度変換せずに出力するかを切り替え可能な第２の解像度変換手段であって、第１の解像度変換手段よりも高画質な解像度変換を行う第２の解像度変換手段と、第１の解像度変換手段、第２の解像度変換手段、及び合成手段の動作を制御する制御手段と、を有し、制御手段は、複数系統の入力映像コンテンツをマルチ画面表示する場合には、合成手段に第１の解像度変換手段により出力された複数系統の映像コンテンツの合成を行わせ、複数系統の入力映像コンテンツの各々について解像度変換を行う場合は第１の解像度変換手段に該入力映像コンテンツの解像度変換を行わせ、１系統の入力映像コンテンツを単一画面表示する場合には、合成手段に第１の解像度変換手段から出力された１系統の映像コンテンツの合成を行わせず、１系統の入力映像コンテンツについて解像度変換を行う場合は第２の解像度変換手段に合成手段から出力された対応する映像コンテンツの解像度変換を行わせるように制御することを特徴とする。
【手続補正３】
【補正対象書類名】明細書
【補正対象項目名】００１８
【補正方法】変更
【補正の内容】
【００１８】
第１解像度変換部１７及び第２解像度変換部１８における変換後の解像度は、画面表示設定と表示パネル３０における表示解像度とに応じて前段制御部１３が決定し、第１解像度変換部１７及び第２解像度変換部１８に供給する。本実施形態では、不揮発性メモリ１２は、予め画面表示設定（１系統表示、２系統表示および２系統表示の表示形態）に対応付けて設定されている各画面の解像度の情報（変換後の解像度）を有している。そして、前段制御部１３は、入力された放送コンテンツの解像度と、画面表示設定に対応付けられた変換後の解像度とを第１解像度変換部１７及び第２解像度変換部１８に供給し、解像度変換処理の制御を行う（第１の解像度変換）。
【手続補正４】
【補正対象書類名】明細書
【補正対象項目名】００１９
【補正方法】変更
【補正の内容】
【００１９】
合成部１９は、前段制御部１３の指示に応じて、合成起動状態と、合成停止状態のいずれかで１系統又は２系統の映像コンテンツを処理する。具体的には、合成部１９は、合成起動状態では画面表示設定が示すマルチ画面表示の表示形態に応じて２系統の映像コンテンツを合成し、１系統の合成映像コンテンツとして出力する。また、合成部１９は、合成停止状態では入力された１系統の映像コンテンツを合成せずにそのまま出力する。なお、前段制御部１３が供給する第１の解像度変換における変換後の解像度は、合成起動状態において合成部１９が出力する合成映像コンテンツの解像度が表示パネル３０における表示解像度となるように予め設定されている。また、映像コンテンツ（の画像）及び画面の解像度はいずれも画素数で表され、表示パネル３０の画素の大きさは固定であるため、表示パネル３０の解像度は画面の大きさをも表す。
【手続補正５】
【補正対象書類名】明細書
【補正対象項目名】００２１
【補正方法】変更
【補正の内容】
【００２１】
第３解像度変換部２３は、後段制御部２２の制御に従い、第３変換起動状態と第３変換停止状態のいずれかで、合成部１９から出力された映像コンテンツを処理する。具体的には、第３解像度変換部２３は、第３変換起動状態では、合成部１９から出力された映像コンテンツの解像度を変換して出力する。また、第３解像度変換部２３は、第３変換停止状態では、合成部１９から出力された映像コンテンツの解像度を変換せずにそのまま出力する。第３解像度変換部２３における変換後の解像度は、画面表示設定と表示パネル３０における表示解像度とに応じて前段制御部１３が決定する。前段制御部１３は、決定した解像度を、前段通信部１４と後段通信部２１を介して後段制御部２２に伝送する。そして、後段制御部２２は、前段制御部１３から伝送された解像度を第３解像度変換部２３に供給して、入力された映像コンテンツに解像度変換処理を適用する（第２の解像度変換）。
【手続補正６】
【補正対象書類名】明細書
【補正対象項目名】００２２
【補正方法】変更
【補正の内容】
【００２２】
なお、本実施形態では、前段制御部１３が供給する第２の解像度変換における変換後の解像度は、第３解像度変換部２３が出力する合成映像コンテンツの解像度が表示パネル３０における表示解像度となるように予め不揮発性メモリ１２に設定されている。
【手続補正７】
【補正対象書類名】明細書
【補正対象項目名】００２７
【補正方法】変更
【補正の内容】
【００２７】
Ｓ２０２で前段制御部１３は、画面表示設定が、１系統表示（単一画面表示）設定か、２系統表示（マルチ画面表示）設定かを判断する。
ここで、１系統表示設定であると判断された場合、前段制御部１３は第１解像度変換部１７を第１変換停止状態に、合成部１９を合成停止状態に切り替え、さらに、第２放送信号処理部１６及び第２解像度変換部１８の動作を停止させる（Ｓ２０３）。さらに前段制御部１３は、前段通信部１４と後段通信部２１を介し、後段制御部２２に１系統表示を行うことを通知する。また、前段制御部１３は、第１放送信号処理部１５が受信・分離・復号した放送コンテンツの解像度情報（合成部１９から出力される映像コンテンツの解像度情報と等しい）を、後段制御部２２に伝える。後段制御部２２は、１系統表示の通知を受け、入力された放送コンテンツの解像度情報と表示パネル３０における表示解像度の情報とによって、第３解像度変換部２３の状態を切り替える（Ｓ２０４）。具体的には、２つの解像度情報が異なる場合は、第３解像度変換部２３を第３変換起動状態にし（Ｓ２０５）、２つの解像度情報が同じ場合は、第３解像度変換部２３を第３変換停止状態にする（Ｓ２０６）。
【手続補正８】
【補正対象書類名】明細書
【補正対象項目名】００２８
【補正方法】変更
【補正の内容】
【００２８】
第１放送信号処理部１５は受信している放送信号１から視聴チャンネル設定に従って１つの放送コンテンツを分離、復号し、第１解像度変換部１７へ出力する。また、第１放送信号処理部１５は、分離、復号した放送コンテンツの解像度を判別し、前段制御部１３に通知する。前段制御部１３は、通知された解像度を不揮発性メモリ１２へ記憶する。第１解像度変換部１７は第１変換停止状態に切り替えられているため、入力された放送コンテンツをそのまま合成部１９へ出力する。合成部１９は合成停止状態に切り替えられているため、入力された放送コンテンツをそのまま画像処理部２０の第３解像度変換部へ伝送する。第３解像度変換部２３は第３変換起動状態に切り替えられている場合は入力された放送コンテンツの解像度を変換し、第３変換停止状態に切り替えられている場合は入力された放送コンテンツの解像度を変換せずに、高画質化処理部２４へそれぞれ出力する。例えば、入力された放送コンテンツがＳＤ（Ｓｔａｎｄａｒｄ Ｄｅｆｉｎｉｔｉｏｎ：６４０×４８０画素）解像度、表示パネル３０における表示解像度がＨＤ（Ｈｉｇｈ Ｄｅｆｉｎｉｔｉｏｎ：１９２０×１０８０画素）解像度である場合、第３解像度変換部２３は入力された放送コンテンツの解像度をＳＤ解像度からＨＤ解像度に変換する。また、入力された放送コンテンツがＨＤ解像度、表示パネル３０における表示解像度がＨＤ解像度である場合は、第３解像度変換部２３は第３変換停止状態に切り替えられているため、入力された放送コンテンツの解像度を変換せずに出力する。表示画質設定に従い、高画質化処理部２４は放送コンテンツに高画質化処理を適用し、高画質化映像コンテンツを表示パネル３０へ伝送し表示する。
【手続補正９】
【補正対象書類名】明細書
【補正対象項目名】００３０
【補正方法】変更
【補正の内容】
【００３０】
第１放送信号処理部１５及び第２放送信号処理部１６は受信している放送信号１から視聴チャンネル設定に従って放送コンテンツを分離、復号し、第１解像度変換部１７及び第２解像度変換部１８へ出力する。また、第１放送信号処理部１５及び第２放送信号処理部１６は、入力された各放送コンテンツの解像度を判別し、前段制御部１３に通知する。前段制御部１３は通知された解像度を不揮発性メモリ１２へ記憶する。第１解像度変換部１７は第１変換起動状態では入力された放送コンテンツの解像度を変換し、合成部１９へ出力する。第２解像度変換部１８は、入力された放送コンテンツの解像度を変換し、合成部１９へ出力する。例えば、入力された放送コンテンツがＨＤ解像度で表示パネル３０における表示解像度がＨＤ解像度である場合、ピクチャアンドピクチャ表示に必要な解像度変換は次のように処理する。第１解像度変換部１７および第２解像度変換部１８はそれぞれ、放送コンテンツの解像度をＨＤ解像度（１９２０×１０８０画素）から例えばその４分の１の解像度（９６０×５４０画素）に変換する。また、例えば入力された放送コンテンツがＨＤ解像度で表示パネル３０における表示解像度がＨＤ解像度である場合、ピクチャインピクチャ表示に必要な解像度変換は次のように処理する。第１解像度変換部１７は入力される放送コンテンツの解像度と出力する映像コンテンツの解像度が同じであり、第１変換停止状態に切り替えられているため、解像度変換処理は第２解像度変換部１８でのみ行う。合成部１９は合成起動状態に切り替えられているため、同時表示の形態に従い、２系統の放送コンテンツを合成し、１系統の合成映像コンテンツとして、画像処理部２０の第３解像度変換部２３へ伝送する。合成部１９は、表示パネル３０における表示解像度にと同じ解像度の合成映像コンテンツを出力する。例えば、表示パネル３０における表示解像度がＨＤ解像度であり、ピクチャアンドピクチャ表示を行う場合、次のように処理する。例えば、第１解像度変換部１７および第２解像度変換部１８から出力された映像コンテンツの解像度が９６０×５４０画素であるとき、２つの映像コンテンツを左右に並べ、ＨＤ解像度となるよう不足する画素情報を付加して合成映像コンテンツを出力する。
【手続補正１０】
【補正対象書類名】明細書
【補正対象項目名】００３２
【補正方法】変更
【補正の内容】
【００３２】
本実施形態のテレビ受像機１００における表示制御処理において、前段制御部１３及び後段制御部２２は、第１解像度変換部１７、合成部１９及び第３解像度変換部２３の状態を、画面表示設定に応じて以下の表１又は表２に示すように切り替える。表１は、放送コンテンツの解像度と表示パネル３０における表示解像度が一致しない場合を示し、表２は、放送コンテンツの解像度と表示パネル３０における表示解像度が一致する場合を示している。
【手続補正１１】
【補正対象書類名】明細書
【補正対象項目名】００３５
【補正方法】変更
【補正の内容】
【００３５】
（表示制御処理：オーバースキャン表示モード）
次に、本実施形態のテレビ受像機の、オーバースキャン表示モードにおける表示制御処理について説明する。オーバースキャン表示モードは、映像コンテンツの最外周部分を除く領域を拡大して表示パネル３０に表示するモードである。
【手続補正１２】
【補正対象書類名】明細書
【補正対象項目名】００３６
【補正方法】変更
【補正の内容】
【００３６】
ジャストスキャン表示モードでは、画面表示設定が２系統表示の場合は、第３解像度変換部２３を第３変換停止状態にした。しかし、本実施形態のオーバースキャン表示モードでは、１系統表示と２系統表示の両方において、第３解像度変換部２３が映像コンテンツの補足的な解像度変換を行うため、常に第３解像度変換部２３を第３変換起動状態に切り替える。具体的には、第３解像度変換部２３は、オーバースキャン映像を生成するために、映像コンテンツの外周から数％の領域をカットし、表示パネル３０における表示解像度に合わせる拡大処理（解像度変換処理）を行う。
【手続補正１３】
【補正対象書類名】明細書
【補正対象項目名】００３７
【補正方法】変更
【補正の内容】
【００３７】
例えば、第３解像度変換部２３に入力された放送コンテンツの解像度がＳＤ解像度であり、表示解像度がＨＤ解像度である表示パネル３０にオーバースキャン表示モードで１系統表示する場合の、第３解像度変換部２３で行われる処理について考える。第３解像度変換部２３では、入力された放送コンテンツからオーバースキャン表示として設定された領域（ＳＤ解像度以下）を切り出し、オーバースキャン映像の解像度であるＨＤ解像度（表示パネル３０における表示解像度と等しい）に変換する。また、画面表示設定が２系統表示（マルチ画面表示）の場合も同様に解像度変換を行うが、第３解像度変換部２３に入力される、合成部１９から出力された合成映像コンテンツは、表示パネル３０における表示解像度と同じ解像度であるとする。また実施形態１のように、２系統表示における第１解像度変換部１７において、入力される放送コンテンツの解像度と出力する放送コンテンツの解像度（表示パネル３０における表示解像度と等しい）とが等しい場合、第１解像度変換部１７は第１変換停止状態とする。
【手続補正１４】
【補正対象書類名】明細書
【補正対象項目名】００３８
【補正方法】変更
【補正の内容】
【００３８】
オーバースキャン表示モードのテレビ受像機１００における表示制御処理において、前段制御部１３及び後段制御部２２は、第１解像度変換部１７、合成部１９及び第３解像度変換部２３の状態を、画面表示設定に応じて以下の表３又は表４に示すように切り替える。表３は、放送コンテンツの解像度と表示パネル３０における表示解像度が一致しない場合を示し、表４は、放送コンテンツの解像度と表示パネル３０における表示解像度が一致する場合を示している。